(57)【要約】  【課題】  レンズ部専用の保護機能をなくしつつ該レンズ部とディスプレイ部の双方を保護することができるようにした撮像装置を提供する。  【解決手段】  撮像装置は、レンズ部３を備えた撮像装置本体１と、該本体に移動可能に取り付けられたディスプレイ部４（２）とを有する。該ディスプレイ部は、少なくともレンズ部を覆う第１の位置に移動する。また、撮像装置は、レンズ部３を備えた撮像装置本体１と、該本体に取り付けられ、少なくともレンズ部を覆う位置に移動可能な可動部材４と、該可動部材に取り付けられたディスプレイ部材２とを有する。  【選択図】  図５
2006171604.tif 000002
【特許請求の範囲】
【請求項１】
レンズ部を備えた撮像装置本体と、
該本体に移動可能に取り付けられたディスプレイ部とを有し、
前記ディスプレイ部は、少なくとも前記レンズ部を覆う第１の位置に移動することを特徴とする撮像装置。
【請求項２】
前記第１の位置において、前記ディスプレイ部の表示面が前記レンズ部側を向くことを特徴とする請求項１に記載の撮像装置。
【請求項３】
前記第１の位置において、前記ディスプレイ部の表示面が前記レンズ部側とは反対側を向くことを特徴とする請求項１又は２に記載の撮像装置。
【請求項４】
前記ディスプレイ部は、前記本体に対して前記第１の位置と前記レンズ部側とは反対側の第２の位置との間で移動可能であることを特徴とする請求項１から３のいずれか１つに記載の撮像装置。
【請求項５】
前記ディスプレイ部の位置と該ディスプレイ部の表示面の向きを検出する検出手段と、
該検出手段の検出結果に応じて、該撮像装置の動作を制御する制御手段とを有することを特徴とする請求項１から４のいずれか１つに記載の撮像装置。
【請求項６】
前記制御手段は、前記ディスプレイ部が前記第１の位置において前記表示面が前記レンズ部側を向いていることを検出した場合に、該撮像装置を電源投入状態とすることを特徴とする請求項５に記載の撮像装置。
【請求項７】
前記制御手段は、前記ディスプレイ部が前記第１の位置から移動したことを検出した場合に、該撮像装置を電源遮断状態から電源投入状態に切換えることを特徴とする請求項５に記載の撮像装置。
【請求項８】
前記制御手段は、前記ディスプレイ部が前記第１の位置において前記表示面が前記レンズ部側とは反対側を向いていることを検出した場合に、該ディスプレイ部に再生用画像を表示することを特徴とする請求項５に記載の撮像装置。
【請求項９】
レンズ部を備えた撮像装置本体と、
該本体に取り付けられ、少なくとも前記レンズ部を覆う位置に移動可能な可動部材と、
該可動部材に取り付けられたディスプレイ部材とを有することを特徴とする撮像装置。  
【発明の詳細な説明】
【技術分野】
【０００１】
本発明は、画像を表示するディスプレイ部を備えた撮像装置に関するものである。
【背景技術】
【０００２】
撮像装置における撮影レンズ部を外力から保護するために、撮像装置本体の前面部やレンズ部の前端部に、レンズバリア機構のレンズ保護機構が設けられることが多い。
【０００３】
一方、撮像装置に取り付けられたディスプレイ部には、撮像装置本体に対する開閉や回転等の移動が可能ないわゆる可動タイプのものがある。このような可動タイプのディスプレイ部は、その表示面の向きを変更することで、様々な向きからの撮影時における被写体観察や画像再生時における表示画像の観察を可能としている。また、このようなディスプレイ部は、表示面を本体側に向けて閉じることにより外力から保護される。
【０００４】
このように、撮像装置においては、撮影レンズ部を保護するために、ディスプレイ部とは全く別にレンズ保護機構を設けるのが一般的である。但し、レンズ部とディスプレイ部の双方を単一の機構により保護する技術も、特許文献１等にて提案されている。
【特許文献１】特開２００４−１７０４９２号公報(段落０００８〜００１６、図１、図３等)
【発明の開示】
【発明が解決しようとする課題】
【０００５】
しかしながら、撮像装置にレンズ部専用の保護機構を搭載すると、その分撮像装置が大型化し、また、該保護機構の動作不良によって撮影ができなくなる場合も生じる。
【０００６】
そこで、本発明は、可動タイプのディスプレイ部又はディスプレイ部材を備えた可動部材を備えた撮像装置において、レンズ部専用の保護機能をなくしつつ該レンズ部とディスプレイ部の双方を保護することができるようにした撮像装置を提供することを目的の１つとしている。
【課題を解決するための手段】
【０００７】
上記の目的を達成するために、１つの観点としての本発明の撮像装置は、レンズ部を備えた撮像装置本体と、該本体に移動可能に取り付けられたディスプレイ部とを有する。そして、該ディスプレイ部は、少なくともレンズ部を覆う第１の位置に移動することを特徴とする。
【０００８】
また、他の観点としての本発明の撮像装置は、レンズ部を備えた撮像装置本体と、該本体に取り付けられ、少なくともレンズ部を覆う位置に移動可能な可動部材と、該可動部材に取り付けられたディスプレイ部材とを有することを特徴とする。
【発明の効果】
【０００９】
本発明によれば、可動タイプのディスプレイ部又はディスプレイ部材が取り付けられた可動部材を、レンズ部を保護する部材として用いることができるため、従来のようなレンズ部専用の保護機構が不要となる。これにより、撮像装置の小型化を図ることができ、さらにレンズ保護機構の動作不良による撮影不可能状態の発生を回避することができる。
【００１０】
しかも、レンズ部を覆う位置においてディスプレイ部又はディスプレイ部材の表示面を該レンズ部側に向けることができるようにすれば、該表示面も保護することができる。
【発明を実施するための最良の形態】
【００１１】
以下に本発明の実施例について説明する。
【実施例１】
【００１２】
図１から図６には、本発明の実施例１であるデジタルスチルカメラとしての撮像装置の外観を示す。図１、図３、図５および図６は該撮像装置を前面（被写体）側から見た斜視図であり、図２および図４は背面（撮影者）側から見た斜視図である。
【００１３】
これらの図において、１は撮像装置本体（以下、単に本体という）であり、その前面には撮影レンズ部（以下、単にレンズ部という）３が設けられている。レンズ部３は、レンズ駆動機構２３によって、本体１に対して突出した状態で光軸方向に伸縮駆動されることによりズーミングが可能であり（図１、図２および図４参照）、最も縮小した状態で本体１に対して格納される（図３参照）。また、本体１内には、不図示のＣＣＤセンサやＣＭＯＳセンサ等の撮像素子が設けられている。
【００１４】
レンズ部３により形成された被写体像は、撮像素子により光電変換される。撮像素子からの出力信号には、不図示の画像処理回路により各種処理が施され、これにより映像信号が生成される。本体１に設けられた撮影スイッチＳが押されることにより、映像信号に基づいて静止画像又は所定時間内の動画像が不図示の半導体メモリ等の記録媒体に記録（撮影）される。
【００１５】
また、本体１の一方の側面には、ヒンジ機構Ｈを介してディスプレイ部４が取り付けられている。このディスプレイ部４は、液晶素子や自発光素子等で構成されたディスプレイ素子（ディスプレイ部材）２と、該ディスプレイ素子２の背面および外周を覆う外装部材（可動部材）４ａとにより構成されている。ディスプレイ素子２の表示面２ａは外装部材４ａに形成された開口から露出している。
【００１６】
なお、本実施例では、ディスプレイ部４は直接本体１に取り付けられているのではなく、ヒンジ機構Ｈを介して間接的に取り付けられているが、この場合およびディスプレイ部が直接本体に取り付けられている場合も含めて請求項にいう「撮像装置本体に移動可能に取り付けられた」に該当する。
【００１７】
ヒンジ機構Ｈは、図４に示すように、光軸ｄの方向（本体１の前後方向）に対して直交する方向に延びる２つの回転軸ａ，ｂと、図１に示すように、回転軸ａ，ｂに対して直交する方向に延びる１つの回転軸ｃとを有する。これに回転軸ａ，ｂ，ｃを中心にヒンジ機構Ｈが回転することにより、ディスプレイ部４を、図１〜図６に示すように様々な位置および向きに設定することができる。
【００１８】
なお、回転軸ａ，ｂは、ディスプレイ部４が本体１の前面側から背面側まで回転可能であれば、光軸ｄの方向に対して直交するようそれぞれ、ｅ，ｆ又はｇ，ｈのように設定してもよい。ａ，ｂを回転軸とする場合は、図１中において、背面側から見て本体１の左側にヒンジ機構Ｈが構成される。また、ｅ，ｆであれば、本体１の右側に、ｇ，ｈであれば本体１の下側にヒンジ機構Ｈが構成される。
【００１９】
また、光軸ｄに対して直交する方向の回転軸の数は、ディスプレイ部４が本体１の前面側から背面側まで回転可能であれば、３つ以上であってもよい。
【００２０】
次に、図７および図８には、ヒンジ機構Ｈの具体的構成例を示す。図８は、図７を別の角度から見て示した図であり、両図とも本体１を表す外形を破線で示している。
【００２１】
ヒンジ機構Ｈは、本体１に対してビス等で固定されたボディベース５と、該ボディベース５の上下（図では前後）の両端に、それぞれの一端がシャフト１０ａ，１０ｂにより本体１の前後方向（図では上下方向）に回転可能に取り付けられた第１および第２サイドベース６，７と、該第１および第２サイドベース６，７のそれぞれの他端にシャフト１０ｃ，１０ｄにより前後方向に回転可能に取り付けられた第１ディスプレイベース８とを有する。シャフト１０ａ，１０ｂは回転軸ａを構成し、シャフト１０ｃ，１０ｄは回転軸ｂを構成する。すなわち、第１および第２サイドベース６，７は回転軸ａ回りで回転が可能であり、第１ディスプレイベース８は回転軸ｂ回りで回転が可能である。なお、各シャフトはカシメ等により抜けが防止される。
【００２２】
また、第１ディスプレイベース８の上下方向中央には、スペーサ１３を介して第２ディスプレイベース９が回転軸ｃ回りで回転可能に取り付けられている。具体的には、第１ディスプレイベース８の長手方向中央に形成された穴部に第２ディスプレイベース９の長手方向中央に形成された突起部９ａを挿入し、該突起部９ａの先端をカシメ等により固定する。そして、第２ディスプレイベース９に、ディスプレイ部４がビス等で固定される。
【００２３】
これにより、ディスプレイ部４は、本体１に対して、回転軸ａ，ｂを中心として前後方向に回転可能となるとともに、回転軸ｃを中心として上下方向に回転が可能になる。
【００２４】
なお、ここに示したヒンジ機構の構成は例にすぎず、少なくとも光軸ｄに対して直交する方向に延びる回転軸を有すれば、他の構成でもよい。
【００２５】
以上説明したヒンジ機構Ｈの回転軸ａ，ｂを中心とする回転により、ディスプレイ部４は、図３および図６に示すように、格納されたレンズ部１の前面を覆う第１の位置や、図１、図２および図４に示すように、レンズ部１の前面から退避する第２の位置に移動することができる。さらに、ヒンジ機構Ｈの回転軸ｃを中心とする回転により、ディスプレイ部４は、図３に示すように、第１の位置において表示面２ａがレンズ部１側に向いた状態や、図６に示すように、第１の位置において表示面２ａがレンズ部１側とは反対側を向いた状態とすることができる。また、ディスプレイ部４は、図１および図２に示すように、第２の位置であって本体１の側方に配置される位置において、表示面２ａを上下方向に回転させることもできる。
【００２６】
次に、本実施例の撮像装置における動作モードの切換えについて説明する。ここで説明する動作モードとは、主電源をＯＮ（投入）状態やＯＦＦ（遮断）状態とする主電源ＯＮモードや主電源ＯＦＦモード、本撮像装置によって撮影を行うための撮影モード、本撮像装置や別の装置によって撮影され、半導体メモリや光ディスク、磁気ディスク等の記録媒体に記録された再生用画像をディスプレイ素子２に表示する再生モード等を含む。なお、ここにいう撮影モードには、静止画撮影モード、動画撮影モード、オートフォーカスモード、マニュアルフォーカスモード、夜景モード等、撮影条件や撮影機能を異にする様々なモードが含まれる。
【００２７】
次に、これらの動作モードについて説明する。主電源ＯＦＦモードでは、ディスプレイ素子２の表示をＯＦＦにし、レンズ駆動機構２３を起動待機状態にする。起動待機状態とは、レンズ駆動機構２３において、撮影する準備が完了せず、撮影が不可能な状態をいう。本実施例のように撮影を可能とするためにレンズ駆動機構２３が動作してレンズ部３が本体１から突出する撮像装置では、レンズ部３が本体１から突出せずに本体１内に格納された状態に相当する。
【００２８】
また、撮影する準備が完了し、撮影可能状態にあるレンズ駆動機構２３の状態を、撮影待機状態という。本実施例のように撮影を可能とするためにレンズ駆動機構２３が動作してレンズ部３が本体１から突出する撮像装置では、該レンズ部３が突出することで撮影準備が完了し、撮影待機状態となる。
【００２９】
このように、主電源ＯＦＦモードでは、ディスプレイ素子２の表示がＯＦＦで、レンズ駆動機構２３が起動待機状態となる。なお、この主電源ＯＦＦモードでは、主電源ＯＮモードの選択以外のための他のスイッチによる操作が不可能な状態である。
【００３０】
次に、撮影モードについて説明する。撮影モードでは、レンズ系駆動部２３が撮影待機状態になり、撮影準備が完了して撮影可能な状態のことである。このとき、ディスプレイ素子２は表示ＯＮ状態となる。但し、ディスプレイ素子２の表示のＯＮ／ＯＦＦ切換えを可能としてもよい。また、上記他のスイッチによる操作が可能な状態である。
【００３１】
次に、再生モードについて説明する。再生モードでは、レンズ駆動機構２３を起動待機状態とし、ディスプレイ素子２の表示をＯＮとする。また、上記他のスイッチによる操作は可能な状態である。
【００３２】
従来の撮像装置では、主電源のＯＮ／ＯＦＦ切換えスイッチや、撮影モード／再生モードの切換えスイッチ等の動作モード切換えスイッチが設けられている。これに対して、本実施例の撮像装置では、上記のような動作モード切換えスイッチを使用することなくディスプレイ部４の位置や状態（向き）によって動作モードが切り換わる。ただし、撮影モード／再生モードの切換えについては、動作モード切換えスイッチを設けてもよい。また、動作モード切換えスイッチの操作による動作モードの切換え機能と、ディスプレイ部４の位置や状態（向き）による動作モードの切換え機能とを併せ持つようにしてもよい。
【００３３】
ここで、図１４のフローチャートを用いて、ディスプレイ部４の本体１に対する位置および向きに応じた動作モードの切換え制御について説明する。また、図１５には、本実施例の撮像装置の内部構成を示す。なお、図１５においては、動作モードの切換え制御に関連する構成要素のみを示している。この動作モードの切換え制御は、ＣＰＵやＭＰＵ等からなる制御部２５により、コンピュータプログラムに従って行われる。図１４のフローチャートは、このコンピュータプログラムの内容を示したものである。
【００３４】
まずステップ（図ではＳと略す）１４０１では、位置検出部２１によりディスプレイ部４の位置を検出し、ディスプレイ部４がレンズ部３の前面（正面）を覆う位置（第１の位置）にある場合はステップ１４０２へ進む。このとき、ディスプレイ部４は、図３に示す状態又は図６に示す状態である。
【００３５】
次に、ステップ１４０２において、位置検出部２１によりディスプレイ部４（表示面２ａ）の向きを検出する。図３に示すように、表示面２ａがレンズ部３側を向いていれば、ステップ１４０４に進み、主電源ＯＦＦモードを設定する。この状態では、表示面２ａとレンズ部３とが向き合い、ディスプレイ素子２およびレンズ部３とも外力から保護される。また、この状態では、ディスプレイ素子２は表示ＯＦＦ状態で、レンズ部３も格納状態（起動待機状態）である。このように、動作モード切換えスイッチ２２を使用することなく主電源をＯＦＦ状態にすることができる。
【００３６】
一方、ステップ１４０２において、図６に示すように、表示面２ａがレンズ部３側を向いていない状態（レンズ部３側とは反対側を向いている状態）を検出した場合は、ステップ１４０５へ進み、再生モードを設定する。この状態では、レンズ部３は格納状態であり、ディスプレイ素子２のみ表示ＯＮ状態となる。このように、動作モード切換えスイッチ２２を使用することなく、再生モードに切換えることができる。
【００３７】
また、ステップ１４０１において、ディスプレイ部４がレンズ部３の前面を覆う位置にない場合（第２の位置にある場合）は、ステップ１４０３に進む。これは、ディスプレイ部４が、図１、図２、図４および図５に示す位置にある場合である。
【００３８】
ステップ１４０３では、撮影モードと再生モードのうち動作モード切換えスイッチ２２により選択されているモードを判定し、撮影モードが選択されていればステップ１４０６に進み、撮影モードを設定する。また、再生モードが選択されていればステップ１４０７に進み、再生モードを設定する。
【００３９】
ステップ１４０３において、撮影モードおよび再生モードのいずも選択されていない場合は、撮影モードおよび再生モードのうち予め設定されたモードを設定する。このときにどちらのモードを設定するかは、ユーザーが設定してもよい。
【００４０】
ところで、ステップ１４０３において、撮影モードおよび再生モードのいずれも選択されていない場合とは、動作モード切換えスイッチ２２が存在しない場合や、動作モード切換えスイッチ２２は存在しているが、撮影モード／再生モード、主電源ＯＮ／ＯＦＦモード等が同一のスイッチで選択される構成となっており、主電源ＯＦＦスイッチが選択されているために撮影モードおよび再生モードが選択されていない場合等が該当する。
【００４１】
次に、図１４に示した動作モード切換え制御を実現するための具体的構成について説明する。まず、動作モードの切換えを実施するために、ディスプレイ部４の回転位置や表示面２ａの向きを位置検出部２１により検出する必要がある。位置検出部２１の具体例として、図７および図８に示すように、ヒンジ機構Ｈ内に、回転位置検出スイッチ１２ａ，１２ｂ，１２ｃを配置する。
【００４２】
これらの検出スイッチ１２ａ，１２ｂ，１２ｃはそれぞれ、ボディベース５に対する第２サイドベース７の回転や、第２サイドベース７に対する第１ディスプレイベース８の回転や、第１ディスプレイベース８に対する第２ディスプレイベース９の回転に伴い、シャフト１０ｂ，１０ｄおよび第１ディスプレイベース８に固定されたスイッチ接触部１１に対する角度が変化することにより作動して検出信号を出力する。本実施例では、回転位置検出スイッチ１２ａ，１２ｂは、ヒンジ機構Ｈが図３および図６に示す状態のときにＯＮ状態となり、検出信号を出力する。また、回転位置検出スイッチ１２ｃは、ヒンジ機構Ｈが図３に示す状態のときにＯＮ状態となり、検出信号を出力する。
【００４３】
すなわち、回転位置検出スイッチ１２ａは、第２サイドベース７がボディベース５に対して略９０°の角度をなすように前方に回転した（前方に延びる第２サイドベース７の長手方向７ａが光軸ｄに略平行になった）状態でＯＮ状態となる。また、回転位置検出スイッチ１２ｂは、その第２サイドベース７に対して第１ディスプレイベース８が略９０°の角度をなすように本体１の右方に回転した（第１ディスプレイベース８における第２サイドベース７と連結された腕部の長手方向８ａが、第２サイドベース７の長手方向７ａに対して略９０°の角度をなした）状態でＯＮ状態となる。図１４のステップ１４０１では、この２つの回転検出スイッチ１２ａ，１２ｂがともにＯＮ状態となることで、ディスプレイ部４がレンズ部３の前面を覆う位置にあると判別する。
【００４４】
また、回転位置検出スイッチ１２ｃは、第２ディスプレイベース９が第１ディスプレイベース８に対して図７および図８に示す回転位置、すなわち、これらの図において、ディスプレイ部４の表示面２ａが前方を向く回転位置（図３の状態では、表示面２ａがレンズ部３側を向く回転位置）にある場合にＯＮ状態になる。図１４のステップ１４０２では、上記２つの回転検出スイッチ１２ａ，１２ｂがともにＯＮ状態となり（ステップ１４０１が「ＹＥＳ」）、かつ回転位置検出スイッチ１２ｃがＯＮ状態となることで、ディスプレイ部４がレンズ部３側を向いていると判別する。
【００４５】
次に、これらの回転位置検出スイッチ１２ａ，１２ｂ，１２ｃの状態と、設定される動作モードとの関係を説明する。まず、回転位置検出スイッチ１２ａ，１２ｂ，１２ｃが全てＯＮ状態の場合は、主電源ＯＦＦモードが設定される。この状態は、図３に示す状態であり、ディスプレイ部４がレンズ部３の前面を覆い、かつディスプレイ素子２の表示面２ａがレンズ部３側を向いている状態である。この状態では、レンズ部３およびディスプレイ素子２は共に機能することが無いため、主電源ＯＦＦモードが設定される。
【００４６】
次に、回転位置検出スイッチ１２ａ，１２ｂのうち少なくとも一方がＯＦＦ状態の場合、すなわち図１、図２、図４および図５に示すように、ディスプレイ部４がレンズ部３の前面を覆う位置になく、レンズ部３に対して退避した状態では、撮影モードおよび再生モードのうち動作モード切換えスイッチ２２により選択されているモードが設定される。このとき、回転位置検出スイッチ１２ｃの状態はＯＮ／ＯＦＦのいずれでもよい。
【００４７】
動作モード切換えスイッチが存在していない場合又は動作モード切換えスイッチが電源ＯＮ／ＯＦＦ切換えスイッチと同一のスイッチにより構成され、電源ＯＦＦ等が選択されることによって撮影モード／再生モードの選択が不可能な場合は、撮影モード／再生モードのうち予め設定された優先的に選択されるモードが設定されるか、ユーザーにより予め選択されたモードが設定される。
【００４８】
次に、回転位置検出スイッチ１２ａ，１２ｂが共にＯＮ状態で、かつ回転位置検出スイッチ１２ｃがＯＦＦ状態の場合は、再生モードが設定される。これは図６に示す状態であり、ディスプレイ部４は、レンズ部３の前面を覆う位置にあるが、表示面２ａは本体１の外側（前方）を向いている状態である。この状態では、レンズ部３は機能しないが、ディスプレイ素子２は機能することができるため、再生モードが設定される。この再生モードでは、再生画像を表示しながらレンズ部３を保護している。
【実施例２】
【００４９】
実施例１では、回転位置検出スイッチ１２ａ〜１２ｃを用いてディスプレイ部４の位置や向きを検出する場合について説明したが、他の検出機構を用いてもディスプレイ部４の位置や向きを検出することができる。
【００５０】
本実施例２では、実施例１中の回転位置検出スイッチ１２ａ，１２ｂに代えて、図９とその拡大図である図１０に示す検出機構を用いる。
【００５１】
この検出機構は、本体１の前面に形成された凹部内に設けられたスライドボタン１４ａと、該スライドボタン１４ａが押されたことを検出する検出スイッチ１５ａと、スライドボタン１４ａを元の位置に復帰させるための弾性体１６ａとを有する。また、図９に示すように、ディスプレイ部４を構成する外装部材４ａにおける表示面２ａ側の部分には、突起形状のボタン押圧部１７ａが形成されている。
【００５２】
図３に示すように、ディスプレイ部４が表示面２ａをレンズ部３側に向けて該レンズ部３の前面を覆うと、ボタン押圧部１７ａによってスライドボタン１４ａが押され、検出スイッチ１５ａがＯＮ状態になる。そして、検出スイッチ１５ａがＯＮ状態である（この場合、回転位置検出スイッチ１２ｃもＯＮ状態になる）場合は、主電源ＯＦＦモードが設定される。また、検出スイッチ１５ａがＯＦＦ状態の場合は、撮影モードおよび再生モードのうち動作モード切換えスイッチ２２で選択されているモードが設定される。このとき、回転位置検出スイッチ１２ｃの状態はいずれでもよい。
【００５３】
動作モード切換えスイッチが存在していない場合又は動作モード切換えスイッチが電源ＯＮ／ＯＦＦ切換えスイッチと同一のボタンで構成され、電源ＯＦＦ等が選択されることにより撮影モードおよび再生モードの選択が不可能な場合等は、撮影モード／再生モードのうち予め設定された優先的に選択されるモードが設定されるか、ユーザーにより予め選択されたモードが設定される。
【００５４】
検出スイッチ１５ａがＯＦＦ状態で、かつ回転位置検出スイッチ１２ｃがＯＦＦ状態では、再生モードが設定される。
【実施例３】
【００５５】
図１１には、図９および図１０で示した検出機構の変形例である本発明の実施例３を示す。本実施例では、図１０に示した検出機構と同じ構成で、スライドボタン１４ａを持つ第１の検出機構と、これと同様のスライドボタン１４ｂを有する第２の検出機構とを本体１の前面２箇所に設けられており、さらにディスプレイ部４を構成する外装部材４ａにおける表示面２ａ側の部分とその反対側の部分に、突起形状のボタン押圧部１７ａ，１７ｂが形成されている。
【００５６】
第２の検出機構の拡大図を図１２に示す。該第２の検出機構は、本体１の前面に形成された凹部内に設けられたスライドボタン１４ｂと、該スライドボタン１４ｂが押されたことを検出する検出スイッチ１５ｂと、スライドボタン１４ｂを元の位置に復帰させるための弾性体１６ｂとを有する。
【００５７】
この構成では、実施例１にて説明した回転位置検出スイッチ１２ａ，１２ｂ，１２ｃは全て不要となる。
【００５８】
ディスプレイ部４が、表示面２ａをレンズ部３側に向けて該レンズ部３の前面を覆うと、ボタン押圧部１７ａがスライドボタン１４ａを押し、これにより検出スイッチ１５ａがＯＮ状態となる。また、ディスプレイ部４が、表示面２ａを本体外側（前方）に向けて該レンズ部３の前面を覆うと、ボタン押圧部１７ｂがスライドボタン１４ｂを押し、これにより検出スイッチ１５ｂがＯＮ状態となる。
【００５９】
検出スイッチ１５ａがＯＮ状態で、かつ検出スイッチ１５ｂがＯＦＦ状態の場合は、本体主電源ＯＦＦモードが設定される。また、検出スイッチ１５ａがＯＦＦ状態で、かつ検出スイッチ１５ｂがＯＦＦの状態では、撮影モードおよび再生モードのうち動作モード切換えスイッチ２２により選択されているモードが設定される。
【００６０】
動作モード切換えスイッチが存在していない場合又は動作モード切換えスイッチが電源ＯＮ／ＯＦＦ切換えスイッチと同一のボタンで構成され、電源ＯＦＦ等が選択されることにより撮影モードおよび再生モードの選択が不可能な場合等は、撮影モード／再生モードのうち予め設定された優先的に選択されるモードが設定されるか、ユーザーにより予め選択されたモードが設定される。
【００６１】
さらに、検出スイッチ１５ａがＯＦＦ状態で、検出スイッチ１５ｂがＯＮ状態の場合は、再生モードが設定される。
【００６２】
なお、上記実施例２，３では、スライドボタン１４ａ，１４ｂおよび検出スイッチ１５ａ，１５ｂを本体１４側に設け、ボタン押圧部１７ａ，１７ｂをディスプレイ部４側に設けてもよい。
【００６３】
また、上記実施例において、図９および図１１に示したスライドボタン１４ａ，１４ｂは本体１の前面に形成した凹部内に配置されているが、これを本体１の前面から突出するように配置してもよい。
【００６４】
ここでは、まず実施例２において、スライドボタン１４ａを本体１の前面から突出させた場合のモード設定について説明する。この場合、ディスプレイ部４側のボタン押圧部１７ａは不要である。
【００６５】
ディスプレイ部４が図３に示す状態のとき、ディスプレイ部４がスライドボタン１４ａを押すことで検出スイッチ１５ａがＯＮ状態となる。検出スイッチ１５ａがＯＮ状態で、かつ回転位置検出スイッチ１２ｃがＯＮの場合は、本体主電源ＯＦＦモードが設定される。また、検出スイッチ１５ａがＯＦＦ状態の場合は、撮影モードおよび再生モードのうち動作モード切換えスイッチ２２により選択されているモードが設定される。このとき、回転位置検出スイッチ１２ｃの状態はいずれでもよい。
【００６６】
動作モード切換えスイッチが存在していない場合又は動作モード切換えスイッチが電源ＯＮ／ＯＦＦ切換えスイッチと同一のボタンで構成され、電源ＯＦＦ等が選択されることにより撮影モードおよび再生モードの選択が不可能な場合等は、撮影モード／再生モードのうち予め設定された優先的に選択されるモードが設定されるか、ユーザーにより予め選択されたモードが設定される。
【００６７】
さらに、検出スイッチ１５ａがＯＮ状態で、かつ回転位置検出スイッチ１２ｃがＯＦＦ状態の場合は、再生モードが設定される。
【００６８】
次に、実施例３において、スライドボタン１４ａとスライドボタン１４ｂを本体１の前面から突出させた場合のモード設定について説明する。この場合、ディスプレイ部４側のボタン押圧部１７ａ，１７ｂは不要であるが、ボタン押圧部１７ａと同じ位置にスライドボタン１４ａに対しての逃げとなる凹部を形成し、また、ボタン押圧部１７ｂと同じ位置にスライドボタン１４ｂに対しての逃げとなる凹部を形成する。
【００６９】
図３に示す状態であって、検出スイッチ１５ａがＯＦＦ状態で、かつ検出スイッチ１５ｂがＯＮ状態の場合は主電源ＯＦＦモードが設定される。また、検出スイッチ１５ａがＯＦＦ状態で、かつ検出スイッチ１５ｂがＯＦＦ状態の場合は、撮影モードおよび再生モードのうち動作モード切換えスイッチ２２により選択されているモードが設定される。
【００７０】
動作モード切換えスイッチが存在していない場合又は動作モード切換えスイッチが電源ＯＮ／ＯＦＦ切換えスイッチと同一のボタンで構成され、電源ＯＦＦ等が選択されることにより撮影モードおよび再生モードの選択が不可能な場合等は、撮影モード／再生モードのうち予め設定された優先的に選択されるモードが設定されるか、ユーザーにより予め選択されたモードが設定される。
【００７１】
図６に示す状態であって、検出スイッチ１５ａがＯＮ状態で、検出スイッチ１５ｂがＯＦＦ状態の場合は、再生モードが設定される。
【００７２】
なお、このようにスライドスイッチ１４ａ，１４ｂを突出するよう構成する場合でも、これらスライドスイッチ１４ａ，１４ｂをディスプレイ部４側に設けるようにしてもよい。
【００７３】
また、実施例２，３にて説明した検出機構以外の検出機構として、スライドスイッチ１４ａ，１４ｂに代えて、図１３に示すように、フォトインタラプタ１９等の光センサを使用した検出機構としてもよい。
【００７４】
さらに、上記各実施例では、そのほぼ全体にディスプレイ素子２を内蔵したディスプレイ部４がレンズ保護機能を持つ場合について説明したが、例えば、ディスプレイ部４と同様に本体１に対して移動可能な可動部材を設け、その一部にディスプレイ素子を設けるとともに、他の部分でレンズ部の前面を覆うことができるようにしてもよい。例えば、図１６に示すように、撮像装置本体３１の側面にヒンジ部３５を介して可動部材３４を取り付け、該可動部材３４を左右方向に開閉可能および上下方向に回転可能に保持する。そして、該可動部材３４のうちヒンジ部３５側の部分３４ｂにディスプレイ素子３２を設ける。さらに、可動部材３４のうち先端側をレンズバリア部３４ａとする。そして、該可動部材３４を、ディスプレイ素子３２の表示面を本体３１側に向けて閉じることにより、レンズバリア部３４ａが撮影レンズ部３３の前面を覆うようにする。
【００７５】
なお、レンズバリア部３４ａを、ヒンジ側部分３４ｂに対して左右方向に回動可能とし、該撮像装置の使用時に、ヒンジ側部分３４ｂの背面側（表示面とは反対側）に折りたたんで撮影等の邪魔にならないようにしてもよい。
【００７６】
以上説明したように、上記各実施例によれば、撮像装置本体に移動可能に取り付けられたディスプレイ部又はディスプレイ部材が取り付けられた可動部材に、レンズ保護部材としての機能を持たせたので、レンズ部専用の保護機構を設ける必要がなくなる。しかも、レンズ部を覆う位置においてディスプレイ部の表示面を該レンズ部側に向けることができるので、ディスプレイ部の表示面自体も保護することができる。
【００７７】
また、レンズ部を覆う位置において、ディスプレイ部の表示面をレンズ部側とは反対側を向かせることにより、レンズ部材を保護しながら再生用画像（撮影画像等）を表示することができる。
【００７８】
さらに、ディスプレイ部を、本体に対してレンズ部を覆う位置と該レンズ部側とは反対側との間で移動可能とすることにより、撮影時の被写体像の表示や再生用画像の表示を行うことができる。
【００７９】
また、ディスプレイ部の位置と表示面の向きを検出した結果に応じて、該撮像装置の動作モードの設定を制御することにより、動作モードスイッチを操作することなく適切な動作モードの設定が可能となる。
【００８０】
さらに、上記各実施例では、デジタルスチルカメラとしての撮像装置について説明したが、本発明は、ビデオカメラ等、他の撮像装置にも適用することができる。
【図面の簡単な説明】
【００８１】
【図１】本発明の実施例１に係る撮像装置の斜視図。
【図２】実施例１に係る撮像装置の斜視図。
【図３】実施例１に係る撮像装置の斜視図。
【図４】実施例１に係る撮像装置の斜視図。
【図５】実施例１に係る撮像装置の斜視図。
【図６】実施例１に係る撮像装置の斜視図。
【図７】実施例１に係る撮像装置に設けられたヒンジ機構の構成を示す斜視図。
【図８】実施例１に係る撮像装置に設けられたヒンジ機構の構成を示す斜視図。
【図９】本発明の実施例２に係る撮像装置の斜視図。
【図１０】実施例２に係る撮像装置に設けられた検出機構の拡大図。
【図１１】本発明の実施例３に係る撮像装置の斜視図。
【図１２】実施例３に係る撮像装置に設けられた検出機構の拡大図。
【図１３】実施例２，３に係る撮像装置の変形例を示す斜視図。
【図１４】実施例１に係る撮像装置の動作モード切換え制御の動作を示すフローチャート。
【図１５】本発明の実施例１に係る撮像装置の斜視図。
【図１６】実施例２，３に係る撮像装置の変形例を示す斜視図。
【符号の説明】
【００８２】
１  撮像装置本体
２  ディスプレイ素子
２ａ  表示面
３  撮影レンズ部
４  ディスプレイ部
１２ａ，１２ｂ，１２ｃ  回転位置検出スイッチ
１４ａ，１４ｂ  スライドボタン
１５ａ，１５ｂ  検出スイッチ
１６ａ，１６ｂ  弾性体
１７ａ，１７ｂ  ボタン押圧部
１９  光センサ
Ｈ  ヒンジ機構
【図１】
2006171604.tif 000003
【図２】
2006171604.tif 000004
【図３】
2006171604.tif 000005
【図４】
2006171604.tif 000006
【図５】
2006171604.tif 000007
【図６】
2006171604.tif 000008
【図７】
2006171604.tif 000009
【図８】
2006171604.tif 000010
【図９】
2006171604.tif 000011
【図１０】
2006171604.tif 000012
【図１１】
2006171604.tif 000013
【図１２】
2006171604.tif 000014
【図１３】
2006171604.tif 000015
【図１４】
2006171604.tif 000016
【図１５】
2006171604.tif 000017
【図１６】
2006171604.tif 000018